(57)【要約】【目的】画像ファイルの転送の履歴が分かるようにする。【構成】被写体がディジタル・スチル・カメラを用いて「特許太郎」によって撮影されることにより，画像ファイル45が得られる。すると，カメラのオーナーズ情報が読み取られ，撮影者／転送者履歴テーブル40に撮影者として「特許太郎」が書き込まれる。テーブル40は画像ファイル45のヘッダ記録領域に格納される。画像ファイル45が「実用新子」に転送させられると，画像ファイル45からテーブル40が読み出され，転送者として「実用新子」が書き込まれる。更新されたテーブル41が画像ファイル45のヘッダ記録領域に格納される。テーブル40〜43を参照することにより，撮影者，転送者を確認できる。【選択図】図７
2007243625.tif 000002
【特許請求の範囲】
【請求項１】
画像データ，上記画像データによって表される被写体像を撮影した撮影者を表す撮影者データおよび上記画像データをすでに入力した画像再生装置の所有者を示す転送者の履歴を表す転送履歴データを入力するデータ入力手段，
上記データ入力手段から入力された画像データによって表される被写体像を表示画面上に表示する表示装置，
オーナーズ・データを記憶するオーナーズ・データ記憶手段，
上記オーナーズ・データ記憶手段に記憶されているオーナーズ・データを上記転送履歴データに追加する更新処理を行う転送履歴データ更新手段，ならびに
上記データ入力手段から入力された画像データおよび上記撮影者データならびに上記転送履歴データ更新手段によって更新処理された転送者履歴データを出力する出力手段，
を備えた画像再生装置。
【請求項２】
上記データ入力手段から入力した画像データを，上記撮影者または上記転送者ごとに分類する分類手段，および
上記分類手段によって分類された画像データによって表される被写体像を上記表示画面上に表示するように上記表示装置を制御する第１の表示制御手段，
をさらに備えた請求項１に記載の画像再生装置。
【請求項３】
上記データ入力手段から入力した転送履歴データによって表される転送者履歴を上記表示画面上に表示するように上記表示装置を制御する第２の表示制御手段をさらに備えた請求項１に記載の画像再生装置。
【請求項４】
オーナーズ・データを入力するオーナーズ・データ入力手段をさらに備え，
上記オーナーズ・データ記憶手段は，上記オーナーズ・データ入力手段から入力したオーナーズ・データを記憶するものである，
請求項１に記載の画像再生装置。
【請求項５】
上記オーナーズ・データ記憶手段に記憶されているオーナーズ・データによって表されるオーナー情報を上記表示画面上に表示するように上記表示装置を制御する第３の表示制御手段をさらに備えた請求項１に記載の画像再生装置。
【請求項６】
画像データ，上記画像データによって表される被写体像を撮影した撮影者を表す撮影者データおよび上記画像データをすでに入力した画像再生装置の所有者を示す転送者の履歴を表す転送履歴データを入力し，
入力した画像データによって表される被写体像を表示画面上に表示し，
オーナーズ・データを記憶しておき，
記憶されているオーナーズ・データを上記転送履歴データに追加する更新処理を行い，
入力した画像データおよび上記撮影者データならびに更新処理された転送者履歴データを出力する，
画像再生装置の制御方法。
【請求項７】
画像データ，上記画像データによって表される被写体像を撮影した撮影者を表す撮影者データおよび上記画像データをすでに入力した画像再生装置の所有者を示す転送者の履歴を表す転送履歴データを入力させる手順，
入力した画像データによって表される被写体像を表示画面上に表示させる手順，
オーナーズ・データを記憶させる手順，
記憶されているオーナーズ・データを上記転送履歴データに追加する更新処理を行わせる手順，
入力した画像データおよび上記撮影者データならびに更新処理された転送者履歴データを出力させる手順により画像再生装置を制御するプログラム。
【発明の詳細な説明】
【技術分野】
【０００１】
この発明は，画像再生装置およびその制御方法ならびにその制御プログラムに関する。
【背景技術】
【０００２】
ディジタル・スチル・カメラなどを用いて被写体を撮影して得られた画像を表す画像データを入力し，入力した画像データによって表される画像を表示する画像表示装置が市販されている。このような画像表示装置は，入力した画像データを他の画像表示装置に出力することもできる。画像データが多数の画像表示装置を転々とすることとなる。このような画像表示装置には，すでに出力した画像表示装置に再度出力してしまうことを未然に防止するものがある（特許文献１）。
【特許文献１】特開2001-69296号公報
【０００３】
また，画像データを送信した場合に，画像データの送信者が受信者に分かるようにするものもある（特許文献２）。
【特許文献２】特開2004-312163号公報
【０００４】
しかしながら，画像データがどのようなユーザを経て入力されたかについては分からない。
【発明の開示】
【０００５】
この発明は，画像データがどのようなユーザを経て入力されたかが分かるようにすることを目的とする。
【０００６】
この発明による画像再生装置は，画像データ，上記画像データによって表される被写体像を撮影した撮影者を表す撮影者データおよび上記画像データをすでに入力した画像再生装置の所有者を示す転送者の履歴を表す転送履歴データを入力するデータ入力手段，上記データ入力手段から入力された画像データによって表される被写体像を表示画面上に表示する表示装置，オーナーズ・データを記憶するオーナーズ・データ記憶手段，上記オーナーズ・データ記憶手段に記憶されているオーナーズ・データを上記転送履歴データに追加する更新処理を行う転送履歴データ更新手段，ならびに上記データ入力手段から入力された画像データおよび上記撮影者データならびに上記転送履歴データ更新手段によって更新処理された転送者履歴データを出力する出力手段を備えていることを特徴とする。
【０００７】
この発明は，上記画像再生装置に適した制御方法も提供している。すなわち，この方法は，画像データ，上記画像データによって表される被写体像を撮影した撮影者を表す撮影者データおよび上記画像データをすでに入力した画像再生装置の所有者を示す転送者の履歴を表す転送履歴データを入力し，入力した画像データによって表される被写体像を表示画面上に表示し，オーナーズ・データを記憶しておき，記憶されているオーナーズ・データを上記転送履歴データに追加する更新処理を行い，入力した画像データおよび上記撮影者データならびに更新処理された転送者履歴データを出力するものである。
【０００８】
この発明は，上記画像再生装置の制御方法を実現するためのプログラムも提供している。
【０００９】
この発明によると，画像データ，画像データによって表される被写体像の撮影者を表す撮影者データおよび画像データの転送者の履歴を表す転送者履歴データが入力される。入力した画像データによって表される被写体像は，表示装置の表示画面に表示される。転送者履歴データが入力されると，その入力された転送者履歴データに，画像再生装置の所有者を示すオーナーズ・データが追加される。オーナーズ・データが追加された転送者履歴データが，撮影者データおよび画像データとともに出力される。転送者履歴データから画像データを入力した画像再生装置の所有者がわかり，画像データがどのユーザを経て入力したものか確認できる。
【００１０】
上記データ入力手段から入力した画像データを，上記撮影者または上記転送者ごとに分類する分類手段，および上記分類手段によって分類された画像データによって表される被写体像を上記表示画面上に表示するように上記表示装置を制御する第１の表示制御手段をさらに備えてもよい。撮影者または以前に入力した転送者の画像の趣向が分かる。
【００１１】
上記データ入力手段から入力した転送履歴データによって表される転送者履歴を上記表示画面上に表示するように上記表示装置を制御する第２の表示制御手段をさらに備えるようにしてもよい。
【００１２】
オーナーズ・データを入力するオーナーズ・データ入力手段をさらに備えてもよい。この場合，上記オーナーズ・データ記憶手段は，上記オーナーズ・データ入力手段から入力したオーナーズ・データを記憶するものとなろう。
【００１３】
上記オーナーズ・データ記憶手段に記憶されているオーナーズ・データによって表されるオーナー情報を上記表示画面上に表示するように上記表示装置を制御する第３の表示制御手段をさらに備えてもよい。
【実施例】
【００１４】
図１は，この発明の実施例を示すもので，ディジタル・スチル・カメラを背面から見た斜視図である。
【００１５】
ディジタル・スチル・カメラ１の上面の右側にはシャッタ・レリーズ・ボタン２が設けられている。
【００１６】
ディジタル・スチル・カメラ１の背面には，ほぼ全体に渡って表示画面４が設けられている。この表示画面４の右上には，トラック・ボール３が回転自在に設けられている。また，表示画面４の右下には，決定ボタン，メニュー・ボタンなどのボタン５が設けられている。
【００１７】
図２は，ディジタル・スチル・カメラ１の電気的構成を示すブロック図である。
【００１８】
ディジタル・スチル・カメラ１の全体の動作は，制御回路10によって統括される。
【００１９】
上述したように，シャッタ・レリーズ・ボタン２，トラック・ボール３，ボタン５などの操作器12から出力される操作信号は，制御回路10に入力する。操作器12には，モード・ダイアルも含まれている。このモード・ダイアルによって撮像モード，再生モード，送信モード，受信モードなどの各種モードが設定される。詳しくは，後述するように，再生モードには，オーナー情報表示モード，画像再生モード，分類モードがある。
【００２０】
ディジタル・スチル・カメラ１には，通信制御回路14によって制御される通信装置15が設けられている。この通信装置15によって画像データの送受信，オーナーズ・データの受信などが行われる。また，通信装置15によって，動作プログラムの受信もでき，受信された動作プログラムがメモリ13に格納され，その動作プログラムにしたがって動作することとなる。
【００２１】
制御回路10には，所定のデータ，オーナーズ・データなどが記憶されているメモリ13が接続されている。
【００２２】
図３は，オーナーズ・データによって表されるオーナー情報の一例である。
【００２３】
オーナー情報には，ディジタル・スチル・カメラ１の所有者の氏名21，その所有者のウェブ・サイトのアドレス22，電子メール・アドレス23などが含まれている。これらの情報のうち，ディジタル・スチル・カメラ１の所有者が有していない情報はメモリ13に記憶されていないのはいうまでもない。もちろん，これらの情報以外の情報（所有者を表わすサムネイル画像など）がオーナー情報としてメモリ13に記憶されていてもよい。
【００２４】
図２に戻って，撮像モードが設定されると，撮像装置11によって被写体が撮像される。被写体像を表す画像データが撮像装置11から出力され，制御回路10に入力する。画像データは，表示制御回路16に与えられる。すると，表示制御回路16によって，撮像により得られた被写体像が表示装置17の表示画面上に表示される。
【００２５】
シャッタ・レリーズ・ボタンが押されると，上述のようにして得られた画像データは，制御回路10に入力する。メモリ13からはオーナーズ・データが読み出され，後述するように撮影者／転送者履歴テーブルが生成される（図４参照）。生成された撮影者／転送者履歴テーブルがヘッダ情報記録領域に格納され，かつ画像データが画像データ記録領域に格納される画像ファイルが生成される。生成された画像ファイルがメモリ・カード・インターフェイス18を介してメモリ・カード19に与えられ，記録される。
【００２６】
再生モードのうち画像再生モードが設定されると，メモリ・カード19に記録されている画像ファイルが読み取られる。読み取られた画像ファイルがメモリ・カード・インターフェイス18を介して制御回路10に入力する。画像ファイルは，制御回路18によって表示制御回路16に与えられる。表示装置17の表示画面にメモリ・カード19から読み取られた画像ファイルによって表される被写体像が表示される。
【００２７】
再生モードには，詳しくは後述するように，単に画像を表示する通常再生モードのほかに撮影者情報再生モードおよび転送履歴表示モードがあるが，これらのモードについては後述する。また，上述のようにオーナー情報表示モード，分類モードについても後述する。
【００２８】
オーナーズ情報受信モードが設定されると，通信装置15によって受信したオーナーズ・データが通信制御回路14を介して制御回路14に入力する。オーナーズ・データは，メモリ13に与えられ上述のように記憶される。
【００２９】
画像ファイル送信モードが設定されると，メモリ・カード19に記録されている画像ファイルが読み取られ，メモリ・カード・インターフェイス18，制御回路10および通信制御回路14を介して通信装置15に与えられる。通信装置15によって画像ファイルが送信される。
【００３０】
画像ファイル受信モードが設定されると，他のディジタル・スチル・カメラ等から送信されてきた画像ファイルが通信装置15によって受信される。受信された画像ファイルが通信制御回路14を介して制御回路10に与えられる。受信した画像ファイルには，上述した撮影者／転送者履歴テーブルが格納されている。また，メモリ13からはオーナーズ・データが読み取られ，そのオーナーズ・データによって表されるディジタル・スチル・カメラの所有者を示すデータが転送者として撮影者／転送者履歴テーブルに追加される更新処理が行われる。更新処理が行われた撮影者／転送者履歴テーブルがヘッダ記録領域に記録されている画像ファイルがメモリ・カード19に記録される。
【００３１】
図４は，画像ファイルのファイル構造（データ構造）を示している。
【００３２】
画像ファイルには，ヘッダ記録領域と画像データ記録領域とが含まれている。
【００３３】
画像データ記録領域には，画像データが記録される。
【００３４】
ヘッダ記録領域には，画像ファイルの管理データのほか，上述したように撮影者／転送者履歴テーブルが格納される。撮影者／転送者履歴テーブルは，画像データ記録領域に記録されている画像データによって表される被写体像の撮影者のデータ（たとえば，Taro.TOKKYO）および画像ファイルが他のディジタル・スチル・カメラから送信されてきた場合などのようにすでに画像ファイルを記録したディジタル・スチル・カメラがある場合に，そのディジタル・スチル・カメラの所有者の氏名（転送者）のデータを上述のように格納するものである。また，撮影者／転送者履歴テーブルには撮影者，転送者のサムネイル画像（図示略）も格納されている。
【００３５】
図５は，オーナーズ・データがディジタル・スチル・カメラ１に記録されている様子を示している。
【００３６】
上述したように，ディジタル・スチル・カメラ１には，通信装置１が設けられており，携帯電話25と通信することができる。携帯電話25には，オーナーズ・データが記憶されており，記憶されているオーナーズ・データがディジタル・スチル・カメラ１に送信される。ディジタル・スチル・カメラ１が受信モードに設定されることにより，携帯電話25から送信されるオーナーズ・データが受信され，上述のように，ディジタル・スチル・カメラ１のメモリにオーナーズ・データが記憶される。
【００３７】
もちろん，ディジタル・スチル・カメラ自体に入力装置を設け，入力装置からオーナーズ・データを入力させるようにしてもよい。
【００３８】
図６は，メモリ・カードのディレクトリ構成の一例である。
【００３９】
画像フォルダが生成されており，この画像フォルダに拡張子にjpgをもつ画像ファイルと拡張子にtxtをもつテキスト・ファイルとが格納されている。画像ファイルに対応するテキスト・ファイルには，画像ファイル名と同じファイル名がテキスト・ファイル名として規定されている。画像ファイルに対応するテキスト・ファイルに，上述したように，画像ファイルによって表される画像の撮影者，転送者等が格納されている撮影者／転送者履歴テーブルが記録されている。
【００４０】
上述したように画像ファイルのヘッダ記録領域に撮影者／転送者履歴テーブルが記録されずに，画像ファイルとは異なるテキスト・ファイル（テキスト・ファイルに限らないし，拡張子も任意でよい）に記録することもできる。
【００４１】
図７は，画像ファイルが転送される様子を示している。
【００４２】
「特許太郎」によって被写体が撮像され，被写体像を表す画像ファイル45が生成されたものとする。すると，ディジタル・スチル・カメラからオーナーズ・データが読み取られ，撮影者として「特許太郎」が書き込まれた撮影者／転送者履歴テーブル40が生成される。生成された撮影者／転送者履歴テーブル40が画像ファイルのヘッダ記録領域に記録される。もちろん，撮影者／転送者履歴テーブル40は画像ファイルとともに転送できればよく，必ずしもヘッダ記録領域に記録されなくともよいのはいうまでもない。
【００４３】
画像ファイル45が「実用新子」のディジタル・スチル・カメラに転送させられると，そのディジタル・スチル・カメラからオーナーズ・データが読み取られ，撮影者／転送者履歴テーブル40に書き込まれる。これにより更新された撮影者／転送者履歴テーブル41が得られる。同様にして，画像ファイル45が「意匠権三」および「商標花子」に順番に転送させられると，転送者として「意匠権三」および「商標花子」が書き込まれた撮影者／転送者履歴テーブル42および43が得られる。
【００４４】
このようにして撮影者／転送者履歴テーブルが生成され，撮影者／転送者履歴テーブルから画像ファイルの撮影者および転送者が分かる。画像ファイルが転送させられても，消去されない限り転送元のディジタル・スチル・カメラには画像ファイルが残っているのはいうまでもない。したがって，撮影者／転送者履歴テーブルを参考にして画像ファイルによって表される画像の撮影者，その画像ファイルの転送者を確認できるし，さらに，多数の画像ファイルおよびそれらの多数の画像ファイルに対応した撮影者／転送者履歴テーブルがある場合には，撮影者または転送者ごとに画像ファイルを分類できる。
【００４５】
図８は，転送履歴生成処理手順を示すフローチャートである。
【００４６】
ディジタル・スチル・カメラに画像ファイルが入力すると（ステップ31），その画像ファイルの撮影者／転送者履歴テーブルが読み取られる（ステップ32）。つづいて，入力したディジタル・スチル・カメラのオーナーズ・データが読み取られる（ステップ33）。読み取られたオーナーズ・データによって表されるカメラの所有者が新たな転送者として撮影者／転送者履歴テーブルに書き込まれる（ステップ34）。このようにして更新された撮影者／転送者履歴テーブルが画像ファイルに格納される（ステップ35）。
【００４７】
図９は，ディジタル・スチル・カメラの再生処理手順を示すフローチャートである。図10から図13は，ディジタル・スチル・カメラの表示画面に表示される画像の一例である。
【００４８】
上述したように，再生モードにはオーナー情報表示モード，画像再生モード，分類モードなどがあり，これらの再生モードのうち，どのモードが選択されたかが確認される（ステップ51）。
【００４９】
オーナー情報表示モードが選択された場合には（ステップ51），ディジタル・スチル・カメラに記憶されているオーナーズ・データが読み取られる。そのオーナーズ・データによって表されるオーナー情報が表示画面に表示される。
【００５０】
図10は，表示画面に表示されるオーナー情報画像の一例である。
【００５１】
オーナー情報画像61には，ディジタル・スチル・カメラの所有者の名前62，ディジタル・スチル・カメラの所有者が有しているウェブ・サイトのＵＲＬ（Uniform Resource Locator）63，ディジタル・スチル・カメラの所有者の電子メール・アドレス64およびディジタル・スチル・カメラの所有者の画像65が含まれている。これらのすべての情報がオーナーズ・データに含まれていなくともよいのはいうまでもない。オーナーズ・データによって表すことができる情報がオーナー情報画像61に表示される。
【００５２】
図９に戻って，画像再生モードが選択されると（ステップ51），表示すべき画像がユーザによって選択される（ステップ53）。画像再生モードには，さらに撮影者情報表示モード，転送履歴表示モード，通常画像再生モードなどがある。
【００５３】
撮影者情報表示モードが設定されると（ステップ54でＹＥＳ），選択された画像に対応する撮影者／転送者履歴テーブルが読み取られ，読み取られたテーブルに格納されている撮影者情報と選択された画像とが表示画面に表示される（ステップ55）。
【００５４】
図11は，選択された画像と撮影者情報とを含む表示用画像の一例である。
【００５５】
表示用画像71には，選択された画像を表示する領域72および撮影者情報表示領域73が含まれている。画像表示領域72は，表示用画像71のほぼ全体にわたって形成されており，この画像表示領域72に，選択された画像が表示されている。撮影者情報表示領域73には，選択された画像に対応する撮影者情報が表示されている。撮影者情報表示領域73には，撮影者の名前73，撮影者のURLおよび撮影者の画像76が含まれている。
【００５６】
図９に戻って，転送履歴表示モードが選択されると（ステップ54でＮＯ，ステップ56でＹＥＳ），選択された画像とその選択された画像の転送履歴とが表示画面に表示される（ステップ57）。
【００５７】
図12は，選択された画像と転送者履歴とを含む表示用画像の一例である。
【００５８】
表示用画像81には，選択された画像を表示する領域82と転送者履歴等を表示する領域89とが含まれている。
【００５９】
選択された画像を表示する領域82は，表示用画像81のほぼ全体にわたって規定されている。
【００６０】
転送者履歴等を表示する領域89は，選択された画像を表示する領域82の右側に規定されている。転送者履歴等を表示する領域89には，領域82に表示されている画像を撮影した撮影者名83およびその撮影者の画像84が表示されている。さらに転送者履歴等を表示する領域89には，転送者名85および87ならびに転送者の画像86および88が表示されている。これらの転送者履歴等を見ることにより，画像82の撮影者および画像82がどのようなユーザを経て入力されたかが分かる。もっとも転送者履歴等を表示する領域89には，撮影者に関する情報は必ずしも表示されなくともよい。
【００６１】
図９に戻って，撮影者情報表示モードおよび転送履歴表示モードのいずれも設定されなければ（ステップ54および56のいずれもＮＯ），通常画像表示モードと設定され選択された画像が表示画面上に表示される（ステップ60）。
【００６２】
分類モードが設定されると（ステップ51），ディジタル・スチル・カメラに記憶されている多数の画像ファイルが，それぞれの画像ファイルに対応する撮影者／転送者履歴テーブルから分かる撮影者ごとに分類される（ステップ58）。すると，表示画面には，画像ファイルのヘッダに格納されているサムネイル画像データによって表されるサムネイル画像が撮影者ごとに分類されて表示される（ステップ59）。
【００６３】
図13は，サムネイル画像が撮影者ごとに分類されて表示されている表示用画像の一例である。
【００６４】
表示用画像91には撮影者画像表示領域92とサムネイル画像表示領域96とが含まれている。
【００６５】
撮影者画像表示領域92には，分類された撮影者の画像93，94，95が表示されている。これらの撮影者の画像を表す画像データは，上述した撮影者／転送者履歴テーブルに格納されている。サムネイル画像表示領域96は，撮影者の画像93，94，95にそれぞれ対応した表示領域97，98，99が定められている。これらの領域97，98，99に，撮影者の画像93，94，95によって撮影された画像のサムネイル画像がそれぞれ表示される。このように，画像を撮影者ごとに分類して表示できる。
【００６６】
上述の実施例では，撮影者ごとに分類してサムネイル画像が表示されているが，転送者ごとに分類してサムネイル画像を表示することもできる。
【００６７】
図14は，変形例を示すもので，表示画面に表示される表示用画像遷移の一例である。
【００６８】
表示画面に表示される画像が選択されることにより，表示画面には左上の表示用画像101が表示されるものとする。
【００６９】
表示画像101には，撮影者詳細情報領域102，前所有者情報103，転送者情報表示領域104，撮影者情報表示領域105，転送者情報表示領域106，転送履歴領域107および選択画像表示領域108が含まれている。
【００７０】
撮影者詳細情報領域102は，選択画像表示領域108に表示されている画像の撮影者についての詳細情報を表示するときにユーザによって選択される。撮影者詳細情報領域102が選択されることにより，表示画面には，撮影者によって撮影された画像のサムネイル画像，撮影日等が一覧で表示される。
【００７１】
前所有者情報領域103は，選択画像表示領域108に表示されている画像を表す画像ファイルが他のディジタル・スチル・カメラから入力したものである場合に（転送させられたものである場合に），ユーザによって選択される。領域103が選択されることにより，表示画面には，領域108に表示されている画像の直前の所有者のさらに前の所有者から入力した画像データによって表される画像のサムネイル画像，取得日（転送日，入力日）等が一覧で表示される。
【００７２】
転送者情報領域104は，選択画像表示領域108に表示されている画像の直前の転送者についての情報を表示させる場合にユーザによって選択される。領域104が選択されることにより，直前の転送者から転送された画像のサムネイル画像，取得日（転送日，入力日）等が右側に示される表示用画像131のように一覧で表示される。
【００７３】
撮影者情報表示領域105には，選択画像表示領域108に表示されている画像の撮影者名および撮影日等の情報が表示される。転送者情報表示領域106には，選択画像表示領域108に表示されている画像の直前の転送者の名前，取得日等の情報が表示される。
【００７４】
転送履歴領域107は，選択画像表示領域108に表示されている画像の転送履歴を表示するときにユーザによって選択される。転送履歴領域107が選択されることにより，表示画面に，転送履歴画像111が表示される。
【００７５】
転送履歴画像111には，上述した選択画像表示領域108に表示されていた画像の転送履歴が表示される。
【００７６】
転送履歴画像111には，転送者の画像112，115，119，122が表示されている。これらの転送者の画像112，115，119，122に対応して転送者の名前および取得日113，116，120，123ならびにリスト領域114，118，121，124が表示されている。リスト114，118，121，124のうちいずれかのリストが選択されると，選択されたリストに対応する転送者の詳細情報の画像131が表示画面に表示される。
【００７７】
転送者詳細画像131は，その転送者から転送された画像のサムネイル画像132，135，138，141が表示されている。これらのサムネイル画像132，135，138，141に対応して，それらのサムネイル画像の取得日133，136，139，142および詳細領域134，137，138，140，143が表示されている。詳細領域134，137，138，140，143のうち，いずれかの詳細領域が選択されると，対応する画像についての詳細情報が表示用画像101のように表示される。
【図面の簡単な説明】
【００７８】
【図１】ディジタル・スチル・カメラの背面図である。
【図２】ディジタル・スチル・カメラの電気的構成を示すブロック図である。
【図３】オーナー情報の一例である。
【図４】画像ファイルのファイル構造の一例である。
【図５】オーナーズ・データが記録されている様子を示している。
【図６】メモリ・カードのディレクトリ構成を示している。
【図７】画像ファイルが転送する様子を示している。
【図８】転送履歴生成処理手順を示すフローチャートである。
【図９】再生処理手順を示すフローチャートである。
【図１０】表示画面に表示される画像の一例である。
【図１１】表示画面に表示される画像の一例である。
【図１２】表示画面に表示される画像の一例である。
【図１３】表示画面に表示される画像の一例である。
【図１４】表示画面の遷移を示している。
【符号の説明】
【００７９】
１  ディジタル・スチル・カメラ
10  制御回路
13  メモリ
14  通信制御回路
15  通信装置
40〜43  撮影者／転送者履歴テーブル
【図１】
2007243625.tif 000003
【図２】
2007243625.tif 000004
【図３】
2007243625.tif 000005
【図４】
2007243625.tif 000006
【図５】
2007243625.tif 000007
【図６】
2007243625.tif 000008
【図７】
2007243625.tif 000009
【図８】
2007243625.tif 000010
【図９】
2007243625.tif 000011
【図１０】
2007243625.tif 000012
【図１１】
2007243625.tif 000013
【図１２】
2007243625.tif 000014
【図１３】
2007243625.tif 000015
【図１４】
2007243625.tif 000016